(57)【要約】      （修正有）【課題】段階的且つ漸次的に剪断可能な園芸剪断装置を提供する。【解決手段】第１グリップ１と第２グリップ２を備え、第１グリップ１が剪断を行う付勢アームであり、第２グリップ２と枢接して軸回転することで剪断制御を行い、第１グリップ１と第２グリップ２との間にリンク部材４が設けられ、リンク部材４により第１グリップ１と第２グリップ２の漸次的な閉合剪断制御を可能とする。第２グリップ２に制御装置Ａが設けられ、段階的剪断方式を使用するかしないかを選択制御可能とする。【選択図】図１
0003199433.tif 000002
【実用新案登録請求の範囲】
【請求項１】
第１グリップと第２グリップを枢接して軸回転させることで剪断制御する園芸剪断装置において、
第１枢接孔、第２枢接孔及び穿ち部が設けられる第１グリップであって、当該穿ち部が当該第１グリップの前部に位置し、当該第１枢接孔が当該穿ち部の後端に位置し、当該第２枢接孔が当該第１枢接孔の後方位置とされ、当該穿ち部に載置溝が設けられ、当該載置溝が当該第１グリップを貫通して延伸している第１グリップ、
前部に組付け部が設けられる第２グリップであって、当該組付け部には第１軸孔及び第２軸孔が順に設けられ、当該第２グリップの中央部には第１組付け孔が設けられ、当該第１組付け孔の後端には第２組付け孔が設けられ、当該第１組付け孔の配置位置には縁部が備えられ、当該縁部は当該第２グリップから延伸形成された対向する２枚の板体であり、当該縁部の外側にはリブ部が設けられ、当該リブ部が等間隔に配列され、当該第１グリップの第１枢接孔が当該第２グリップの第１軸孔に突き合わされて枢着される第２グリップ、
作動柄が設けられる切刃であって、中央部位に貫通孔が設けられ、当該作動柄にスロットが設けられ、当該スロットには３つの凹陥部位が設けられ、前記凹陥は当該スロットの辺縁に位置して略等間隔で配列されており、当該作動柄の末端には後部が備えられ、当該作動柄が当該載置溝に嵌入され、当該後部が当該載置溝を貫通し、当該貫通孔が第１グリップの第２枢接孔に突き合わされて枢着される切刃、
第１端と第２端を備えるリンク部材であって、当該第１端から当該第２端まで延伸する間に第１接続孔及び第２接続孔が設けられ、当該第１端に収容部が設けられ、当該第１接続孔が当該第２グリップの第２軸孔に突き合わされて枢着され、当該第２接続孔が当該スロットに突き合わされて固定部材により枢接され、固定部材を回転軸とすることで、当該リンク部材が当該第１接続孔において軸回転可能となり、当該第２端が当該スロットにおいて規制的な変位が可能となるリンク部材、
規制部材、選択部材及び弾性部材を含む制御装置であって、当該規制部材は一端に当接部を備え、他端に軸孔が設けられ、当該選択部材が止め部及び把持部を備え、当該把持部の中央に当該止め部が設けられ、当該把持部は下方へ延伸して対向する他の２枚の壁を形成し、２枚の壁の間に受入部が備えられ、２枚の壁面に軸孔が貫設され、当該弾性部材が旋回部を備え、当該旋回部から長ロッドが延伸形成され、当該長ロッドの末端に押圧部が湾曲形成され、当該規制部材の軸孔が当該選択部材の受入部に配置されて軸孔に突き合わされ、当該選択部材の軸孔が第１組付け孔に突き合わされて枢着され、当該把持部が当該縁部に覆設され、当該弾性部材の旋回部が第２組付け孔に突き合わされて枢着され、当該弾性部材が、当該規制部材を押接して前進させるように当該規制部材を支持し、当該選択部材の止め部が当該規制部材の前進を規制する制御装置、を含む園芸剪断装置。
【請求項２】
穿ち部を備える第１グリップであって、当該穿ち部が当該第１グリップの前部に位置し、当該穿ち部に載置溝が設けられ、当該載置溝が当該第１グリップを貫通して延伸している第１グリップ、
前部に組付け部と縁部が設けられる第２グリップであって、当該縁部が当該第２グリップの組付け部から延伸形成された対向する２枚の板体であり、当該縁部の外側にリブ部が設けられ、当該リブ部が等間隔に配列され、当該第１グリップと当該第２グリップとが互いに枢着して軸回転することで剪断制御する第２グリップ、
作動柄が設けられる切刃であって、当該作動柄にスロットが設けられ、当該スロットには３つの凹陥部位が設けられ、前記凹陥が当該スロットの辺縁に位置して略等間隔で配列されており、当該作動柄の末端に後部が備えられ、当該作動柄が当該載置溝に嵌入されて当該第１グリップに枢着され、当該後部が当該載置溝を貫通する切刃、
第１端と第２端を備えるリンク部材であって、当該第１端が当該第２端まで延伸し、当該第１端に収容部が設けられ、当該第１端が当該第２グリップに枢着され、当該第２端が当該スロットに突き合わされて枢接されることで、当該リンク部材が当該第１接続孔において軸回転可能となり、当該第２端が当該スロットにおいて規制的な変位が可能となるリンク部材、
当該第２グリップに組み付けられる制御装置であって、規制部材、選択部材及び弾性部材を含み、当該規制部材は一端に当接部を備え、他端に軸孔が設けられ、当該選択部材が止め部及び把持部を備え、当該把持部の中央に当該止め部が設けられ、当該把持部は下方へ延伸して対向する他の２枚の壁を形成し、２枚の壁の間に受入部が備えられ、２枚の壁面に軸孔が貫設され、当該弾性部材が旋回部を備え、当該旋回部から長ロッドが延伸形成され、当該長ロッドの末端に押圧部が湾曲形成され、当該選択部材と当該規制部材は同軸で当該第２グリップの縁部に枢着され、当該把持部が当該縁部の外側に覆設され、当該弾性部材が当該選択部材の後端に非同軸で枢着し、当該弾性部材が、当該規制部材を押接して前進させるように当該規制部材を支持し、当該選択部材の止め部が当該規制部材の前進を規制する制御装置、を含む園芸剪断装置。
【請求項３】
当該規制部材はロッド部を備え、その延伸した一端に当接部を備える請求項２に記載の園芸剪断装置。
【請求項４】
当該選択部材は受入部を備え、当該規制部材の一端部は当該受入部に嵌入され、同軸に突き合わされて枢設される請求項２に記載の園芸剪断装置。
【請求項５】
当該弾性部材は旋回部を備え、当該旋回部から長ロッドが延伸形成され、当該長ロッドの末端に押圧部が湾曲形成され、当該押圧部が当該ロッド部を付勢し、当該旋回部が第２グリップに枢着される請求項２に記載の園芸剪断装置。  
【考案の詳細な説明】
【技術分野】
【０００１】
本考案は園芸剪断装置に関し、具体的には、植物の枝や幹の太さに応じて漸次的に剪断閉合する段階的剪断が可能な剪断装置に関する。
【背景技術】
【０００２】
この種の剪断装置としては、これまでにも、互いに枢接される第１及び第２の持ち手、切刃、駆動リンク及び切換装置を含み、当該切刃ユニットが第１持ち手に枢設され、切刃と第１持ち手先端における穿刃とが対応して切口を構成し、当該駆動リンクが第２持ち手に枢設され、その一端が動作可能になるよう切刃の後端に組み付けられて切刃ユニットによる剪断を推進し、当該切換装置が第２持ち手の内側面に枢設される規制部材と、第２持ち手側に位置する回動部材を含み、回動部材により規制部材を回転可能とし、規制部材により切刃の後端を付勢可能としたり切刃の後端を付勢不可能としたりすることで、使用者により園芸鋏の剪断方式を切り換え可能として、枝剪断におけるニーズに応える特許文献１の使用方式を切り換え可能な園芸鋏があった。
【０００３】
この園芸鋏では、主として当該回動部材による当該規制部材の回転によって駆動リンクの切り換え方式を選択可能としている。
【０００４】
本考案では、上記の構造により切り換え方式を選択することはしない。本考案の切換制御装置では、弾性部材の押接張力により規制部材の位置を押動するほか、選択部材と共働することで規制部材の位置を規制する。
【０００５】
明らかな点として、規制部材は弾性部材から張力を付勢されて自動的に押接され、所望の位置まで前進可能となるのに対し、選択部材は規制部材が引き続き前進位置に向かうことを阻止して、所望の選択位置で停止させる。
【０００６】
また、従来は切り換え変化を伝達する規制部材には緩衝弾性が備わっていなかった。そのため、前記駆動リンクは規制部材に突き当たることで強制的にグリップを駆動し、段階的剪断を行わせていたが、この目的達成のためには硬い木の枝によって切刃が破損する場合があり、段階的剪断を可能としつつ切刃の破損を回避するとの作用は果たせていなかった。
【先行技術文献】
【特許文献】
【０００７】
【特許文献１】台湾特許第Ｍ４４１３２１号
【考案の概要】
【考案が解決しようとする課題】
【０００８】
そこで、本考案は、簡単な方式で調整でき、異なるパワーでの伝達が可能なほか、切刃の破損を回避して正常な剪断機能を発揮させられる園芸剪断装置を提供することを目的とする。
【０００９】
本考案の特徴によれば、当該目的は、切換制御装置が第２グリップにおいてリンク部材の切り換えを選択制御することで当接又は非当接によるロックを可能とする新たな構造により実現される。
【００１０】
本考案の剪断装置は第１グリップと第２グリップを含み、前記第１グリップが剪断を行う付勢アームであり、前記第２グリップと枢接して軸回転することで剪断制御を行い、当該第１グリップには切刃が枢設され、当該切刃の一端にはスロットが設けられ、当該スロットには３つの凹陥部位が設けられ、前記凹陥が当該スロットの辺縁に位置して略等間隔に配列される。当該第１グリップと当該第２グリップとの間にはリンク部材が設けられ、当該リンク部材は一端が当該第２グリップに枢設され、他端が当該スロットに枢着されるが、当該スロットにおいて当該凹陥部位で変位するよう規制される。
【００１１】
前記第２グリップには制御装置が設けられ、当該制御装置は規制部材、選択部材及び弾性部材を含み、当該規制部材と当該選択部材は同軸で当該第２グリップに枢着され、当該弾性部材が当該選択部材の後方位置に枢設され、当該弾性部材が当該規制部材に突き当てられて支持することで、当該規制部材を押接して前進させ、当該選択部材は当該規制部材の前進を規制可能である。
【００１２】
例を挙げると、当該選択部材が第１位置（当接位置）まで選択的に押動されると、当該規制部材は当該弾性部材によって前方に押接されて、当該選択部材が位置する第１位置に到達し、第１位置にロックされる。これにより、当該規制部材は当該切刃の第２端に突き当て可能となり、当該リンク部材を段階的に当該スロットで漸次的に変位可能となるため、当該切刃における段階的閉合剪断方式の制御が達成される。或いは、当該選択部材が第２位置（離間位置）に押動されると、当該規制部材は当該選択部材により強制的に第２位置に規制される。これにより、当該規制部材は当該切刃の第２端に突き当たることがなくなるため、当該リンク部材は当該スロットにおいて漸次的に変位するよう規制されなくなる。これが段階的閉合剪断方式を使用しない場合である。
【００１３】
以上述べたように、本考案は、制御装置の選択部材が当該規制部材に対する位置ロック制御機能を奏し、当該弾性部材が当該規制部材に対する押動動力機能を奏することを特徴とする。
【００１４】
このような場合、当該規制部材は当該弾性部材の張力によって作動するよう設計される。例えば、使用者が親指で当該選択部材を把持して操作し、第１位置又は第２位置へ押動すると、当該規制部材は当該弾性部材の張力によって自動的に押圧されて前進可能となる。しかし、当該選択部材によって阻止されることから、当該規制部材は当該選択部材によって第１位置又は第２位置にロックされる。
【図面の簡単な説明】
【００１５】
【図１】本考案の分解図である。
【図２】本考案の部分透視組立図である。
【図３】本考案の切刃と第２グリップの組立図である。
【図４】本考案の制御装置を上方から見た図である。
【図５】本考案の制御装置の断面図である。
【図６】本考案の実施図１である。
【図７】本考案の実施図２である。
【図８】本考案の実施図３である。
【図９】本考案の実施図４である。
【図１０】本考案の実施図５である。
【考案を実施するための形態】
【００１６】
次に、当業者が本明細書の記載に基づき実施可能なように、本考案の目的、特徴及び得られる効果を更に明らかにすべく、本考案における好ましい実施例の図面を組み合わせて以下のとおり説明する。
【００１７】
まず、図１〜図３を参照すると、本考案の園芸剪断装置は、第１グリップ１、第２グリップ２、切刃３、リンク部材４、制御装置Ａ及びバネ８を含む。前記第１グリップ１には、第１枢接孔１４、第２枢接孔１５、穿ち部１ａ及び凹部１２ａが設けられ、当該穿ち部１ａは当該第１グリップ１の前部に位置し、当該第１枢接孔１４は当該穿ち部１ａの後端に位置し、当該第２枢接孔１５は当該第１枢接孔１４の後方位置とされる。当該穿ち部１ａには載置溝１１ａが設けられ、当該載置溝１１ａは当該第１グリップ１を貫通して延伸している。当該載置溝１１ａの対向端には当該凹部１２ａが設けられ、当該第１グリップ１の後部にはフック部１７が枢設される。
【００１８】
また、前記第２グリップ２の前部には組付け部２ａが設けられ、当該組付け部２ａには、第１軸孔２１１及び第２軸孔２１２が順に設けられている。当該第２グリップ２の中央部には第１組付け孔２１３が設けられ、当該第１組付け孔２１３の後端には第２組付け孔２１４が設けられている。当該第１組付け孔２１３の配置位置には縁部２３が備えられ、当該縁部２３は、当該第２グリップ２から延伸形成された対向する２枚の板体である。当該縁部２３の外側には、リブ部２３ａ，２３ｂが設けられ、当該リブ部２３ａ，２３ｂは等間隔で配列される。
【００１９】
当該第１グリップ１の第１枢接孔１４は当該第１軸孔２１１と突き合わされ、固定部材９により枢着される。これにより、前記第１グリップ１と前記第２グリップ２とが枢接し、軸回転して剪断制御可能となる。
【００２０】
また、前記切刃３には作動柄３２が延伸して設けられ、中央部位に貫通孔３２ａが設けられている。当該作動柄３２にはスロット３３が設けられ、当該スロット３３には３つの凹陥部位が設けられている。前記凹陥は当該スロット３３の辺縁に位置し、略等間隔で配列されている。当該作動柄３２の末端には後部３２ｂが備えられる。当該作動柄３２は当該第１グリップ１の載置溝１１ａに嵌入され、当該後部３２ｂが当該載置溝１１ａを貫通する。当該貫通孔３２ａは当該第１グリップ１の第２枢接孔１５に突き合わされて、固定部材１６により枢着される。
【００２１】
また、前記リンク部材４は第１端４ａと第２端４ｂを備え、当該第１端４ａから当該第２端４ｂまで延伸する間に第１接続孔４１ａ及び第２接続孔４１ｂが設けられている。当該第１端４ａには収容部４２が設けられ、当該第１接続孔４１ａは当該第２グリップ２の第２軸孔２１２に突き合わされて、固定部材１０により枢着される。当該第２接続孔４１ｂは当該切刃３のスロット３３に突き合わされて、固定部材１３により枢着される。これにより、当該リンク部材４は当該第１接続孔４１ａで軸回転可能となり、当該第２端４ｂは当該スロット３３において規制的な変位が可能となる。
【００２２】
また、図３〜図５を参照すると、前記制御装置Ａは、規制部材５、選択部材６及び弾性部材７を含む。当該規制部材５はロッド部５２を備え、その延伸した一端に当接部５３を有し、他端に軸孔５１を有する。当該選択部材６は止め部６３と把持部６２を備える。当該把持部６２は互いに対称な２枚の壁から構成され、壁の間に止め部６３が挟持される。当該把持部６２は下方へ延伸して対向する他の２枚の壁を形成し、２枚の壁の間に受入部６１ａを備える。２枚の壁面には軸孔６１が貫設され、当該規制部材５の軸孔５１を備える端部が当該受入部６１ａに嵌入して軸孔６１に突き合わされる。当該弾性部材７は旋回部７１を備え、当該旋回部７１から長ロッド７１ａが延伸形成されている。当該長ロッド７１ａの末端には押圧部７２が湾曲形成されており、当該押圧部７２は当該ロッド部５２を付勢する。当該規制部材５の軸孔５１は当該選択部材６の受入部６１ａに配置され、軸孔６１に突き合わされる。当該選択部材６の軸孔６１は当該第２グリップ２の第１組付け孔２１３に突き合わされて、固定部材１１により枢着される。当該把持部６２は当該縁部２３に覆設される。当該弾性部材７の旋回部７１は当該第２グリップ２の第２組付け孔２１４に突き合わされて、固定部材１２により枢着される。図５に示すように、当該弾性部材７は当該押圧部７２によって当該規制部材５を支持することで当該規制部材５が前進するよう押接し、当該選択部材６の止め部６３は当該規制部材５の前進を規制する。詳細に説明すると、当該規制部材５と当該選択部材６は当該第１組付け孔２１３を支点に枢動可能であり、当該選択部材６の止め部６３により当該規制部材５が引き続き前進しないよう阻止する。
【００２３】
また、前記バネ８は当該第２グリップ２の組付け部２ａに配置され、図５に示すように、その一端が当該リンク部材４の収容部４２に嵌設され、他端が当該凹部１２ａに当接する。
【００２４】
また、前記フック部１７は当該第１グリップ１の後端に組み付けられ、図２に示すように、当該第１グリップ１と当該第２グリップ２が閉合を維持して開放されないよう制御するロック機能を提供する。
【００２５】
本考案における動作は、図６〜１０に示すように実施される。図６を参照すると、当該選択部材６が第２位置Ｃ（離間位置）に押動され、これにより当該選択部材６が当該第２グリップ２のリブ部２３ｂに係止されて位置決めされると、当該規制部材５は当該選択部材６の止め部６３により強制的に第２位置Ｃ（リブ部２３ｂ）で阻止されて第２位置Ｃにロックされるため、当該規制部材５は当該選択部材６により強制的に第２位置Ｃに規制される。結果、当該規制部材５は当該切刃３の後部３２ｂに突き当たることがないため、当該リンク部材４は当該作動柄３２に圧迫されず、図７に示すように、当該スロット３３内で変位することがない。これが直接剪断方式である。
【００２６】
また、図８を参照して、当該選択部材６が第１位置Ｂ（リブ部２３ａ）まで押動され、当該選択部材６が当該第２グリップ２のリブ部２３ａに係止されて位置決めされると、当該規制部材５は当該弾性部材７の押圧部７２によって前方に押接されて、当該選択部材６が位置する第１位置Ｂ（リブ部２３ａ）に到達し、第１位置Ｂにロックされる。結果、当該規制部材５は当該切刃３の後部３２ｂに突き当て可能となるため、当該リンク部材４が当該作動柄３２に圧迫される。これにより、当該リンク部材４は当該スロット３３において漸次的に３つの凹陥部を変位させる。段階的閉合剪断の実施状態としては、図８が第１段階の剪断方式、図９が第２段階の剪断方式、図１０が第３段階の完全剪断方式である。
【００２７】
本考案は以下の点において優れている。
【００２８】
１．当該制御装置Ａは、段階的剪断方式と直接剪断方式とを切換制御可能な選択的制御のほか、当該弾性部材７が弾性張力を備えるとの特徴から、当該規制部材５を押接する際には完全に硬質な力で固定するのではない。当該第１グリップ１と当該第２グリップ２が剪断動作する場合、当該規制部材５が当該切刃３の後部３２ｂに当接すると、当該切刃３の反動は当該後部３２ｂに伝達され、続いて当該規制部材５に伝達されるが、図９に示すように、当該規制部材５は弾性緩衝機能を備える。よって、当該切刃３も剪断力に対するわずかな緩衝効果を有し、結果として当該切刃３の剪断による破損を緩和可能となる。
【００２９】
２．当該制御装置Ａの選択部材６は、当該規制部材５に対する位置ロック制御機能を奏するものであり、当該弾性部材７は当該規制部材５に対する押動動力機能を奏するものである。
【００３０】
この場合、当該規制部材５は当該弾性部材７の張力によって作動するよう設計される。例を挙げると、使用者が親指で当該選択部材６を把持して操作し、第１位置Ｂ又は第２位置Ｃへ押動すると、当該規制部材５は当該弾性部材７の張力により自動的に押圧されて前進する。しかし、当該選択部材６が当該規制部材５を阻止及び位置決めする作用を奏することから、当該規制部材５は当該選択部材６により第１位置Ｂ又は第２位置Ｃにロックされる。
【００３１】
以上は本考案の好ましい実施例にすぎず、本考案の実施範囲を限定する主旨ではない。本考案の登録請求の範囲に基づく等価の変更及び補足は、いずれも本考案における登録請求の範囲に包含される。
【符号の説明】
【００３２】
１        第１グリップ
１ａ      穿ち部
１１ａ    載置溝
１２ａ    凹部
１４      第１枢接孔
１５      第２枢接孔
１７      フック部
２        第２グリップ
２ａ      組付け部
２１１    第１軸孔
２１２    第２軸孔
２１３    第１組付け孔
２１４    第２組付け孔
２３      縁部
２３ａ    リブ部
２３ｂ    リブ部
３        切刃
３２      作動柄
３２ａ    貫通孔
３２ｂ    後部
３３      スロット
４        リンク部材
４ａ      第１端
４ｂ      第２端
４１ａ    第１接続孔
４１ｂ    第２接続孔
４２      収容部
５        規制部材
５１      軸孔
５２      ロッド部
５３      当接部
６        選択部材
６１      軸孔
６１ａ    受入部
６２      把持部
６３      止め部
７        弾性部材
７１      旋回部
７１ａ    長ロッド
７２      押圧部
８        バネ
９        固定部材
１０      固定部材
１１      固定部材
１２      固定部材
１３      固定部材
１６      固定部材
Ａ        制御装置
Ｂ        第１位置
Ｃ        第２位置
【図１】
0003199433.tif 000003
【図２】
0003199433.tif 000004
【図３】
0003199433.tif 000005
【図４】
0003199433.tif 000006
【図５】
0003199433.tif 000007
【図６】
0003199433.tif 000008
【図７】
0003199433.tif 000009
【図８】
0003199433.tif 000010
【図９】
0003199433.tif 000011
【図１０】
0003199433.tif 000012